(57)【要約】【課題】ユーザの手間を省きながら、ユーザの使い勝手のよい順序で再生できる再生装置等を提供する。【解決手段】  再生装置１は、読取部３、デコーダ４、ＯＳＤ合成部５、出力部６、操作部７、制御部９を備える。読取部３は、記録媒体にタイトルを記憶しており、デコーダ４は、これをデコードする。ＯＳＤ合成部５は、再生操作を設定するＯＳＤを表示する。操作部７は、操作入力を受け付ける。制御部９は、ＲＯＭ９０内にグループ毎再生処理９４、グループ順再生処理９５等を含む各種のサブルーチンを記憶している。グループ毎再生処理９４は、グループ毎に予め定めたタイトル数のタイトルをランダムに選択し再生する処理を、予め定めたグループの再生順に従い、グループ毎にそれぞれ行う。グループ順再生処理９５は、各グループから１タイトルずつランダムに選択し、選択したタイトルを、グループの再生順序に従い再生する。【選択図】図４
2009026345.tif 000002
【特許請求の範囲】
【請求項１】
記録媒体に記録されたタイトルを読み出して再生する再生部を備えた再生装置において、
タイトルの選択を受け付けることにより、タイトルの集合であるグループを登録するグループ登録手段と、
複数の前記グループをどの順番で再生するかを定める再生順序を受け付けると共に、前記グループそれぞれについて前記再生部が再生するタイトル数を受け付ける再生設定受付手段と、を備え、
前記再生部は、前記グループ登録手段で登録された所定のグループの中から、前記再生設定受付手段で受け付けたタイトル数のタイトルをランダムに選択して再生するグループ内ランダム再生を行うものであって、前記グループ内ランダム再生を前記グループ各々について前記再生順序受付手段で受け付けた再生順序で順番に行う、グループ順再生を行う再生装置。
【請求項２】
記録媒体に記録されたタイトルを読み出して再生する再生部を備えた再生装置において、
タイトルの選択を受け付けることによりタイトルの集合であるグループを登録するグループ登録手段と、
複数の前記グループをどの順番で再生するかを定める、再生順序を受け付ける再生設定受付手段と、を備え、
前記再生部は、前記グループ登録手段で登録された所定のグループの中からランダムに１タイトル選択して再生するグループ内ランダム再生を、前記グループ各々について前記再生順序受付手段で受け付けた再生順序で順番に行う、第１のグループ順再生を行う再生装置。
【請求項３】
前記再生設定受付手段は、前記グループそれぞれについて、前記再生部が再生するタイトル数を受け付け、
前記再生部は、前記グループそれぞれについて受け付けた前記タイトル数に達するまで、前記第１のグループ順再生を繰り返す第２のグループ順再生を行うものであって、前記第２のグループ順再生では、所定のグループＸについて前記タイトル数に達した場合には、次の第１のグループ順再生では、当該グループＸについて前記グループ内ランダム再生をスキップし、すべてのグループについて前記回数に達するまで前記第１のグループ順再生を繰り返す請求項２に記載の再生装置。
【請求項４】
前記グループ登録手段は、前記グループ内ランダム再生において選択されるタイトルを前記グループの中からさらに絞り込むグループ内絞込タイトルの選択を受け付けて、
前記再生部は、前記グループ内ランダム再生において、前記グループ登録手段で選択を受け付けたグループ内絞込タイトルの中から１タイトルをランダムに選択する請求項１〜３のいずれかに記載の再生装置。
【請求項５】
記録媒体に記録されたタイトルを読み出して再生する再生方法において、
タイトルの選択を受け付けることにより、タイトルの集合であるグループを登録するグループ登録ステップと、
複数の前記グループをどの順番で再生するかを定める、再生順序を受け付けると共に、前記グループそれぞれについて前記再生部が再生するタイトル数を受け付ける再生設定受付ステップと、
前記グループ登録手段で登録された所定のグループの中からランダムに前記再生設定受付手段で受け付けたタイトル数のタイトルを選択して再生するグループ内ランダム再生ステップと、を実行するものであって、
前記タイトルランダム再生ステップを、前記再生順序受付手段で受け付けた再生順序でグループ毎に順番に繰り返し実行するグループ順再生ステップを実行する再生方法。
【請求項６】
記録媒体に記録されたタイトルを読み出して再生する再生方法において、
タイトルの選択を受け付けることによりタイトルの集合であるグループを登録するグループ登録ステップと、
複数の前記グループをどの順番で再生するかを定める再生順序を受け付ける再生設定受付ステップと、
前記グループ登録手段で登録された所定のグループの中からランダムに１タイトル選択して再生するグループ内ランダム再生ステップと、を実行するものであって、
前記グループ内ランダム再生ステップを、前記再生順序受付手段で受け付けた再生順序で各グループについて順番に繰り返し実行する、第１のグループ順再生ステップを実行する再生方法。
【請求項７】
前記再生設定受付手段は、前記グループそれぞれについて、再生予定のタイトル数を受け付け、
前記グループそれぞれについて受け付けた前記タイトル数に達するまで、前記第１のグループ順再生ステップを繰り返し実行する第２のグループ順再生ステップを実行し、
前記第２のグループ順再生ステップでは、所定のグループＸについて前記タイトル数に達した場合には、次の第１のグループ順再生ステップでは、当該グループＸについて前記グループ内ランダム再生ステップをスキップし、すべてのグループについて前記回数に達するまで前記第１のグループ順再生を繰り返す請求項６に記載の再生方法。
【請求項８】
前記グループ登録ステップでは、前記グループ内ランダム再生において選択されるタイトルを前記グループの中からさらに絞り込んだグループ内絞込タイトルの選択を受け付け、
前記グループ内ランダム再生ステップでは、前記グループ登録ステップで受け付けたグループ内絞込タイトルの中からランダムに１タイトルを選択する請求項５〜７のいずれかに記載の再生方法。
【発明の詳細な説明】
【技術分野】
【０００１】
この発明は、ハードディスクやＤＶＤ、フラッシュメモリ等の記録媒体に記録されているタイトルを再生する再生装置に関する。
【背景技術】
【０００２】
従来、ハードディスクやＤＶＤ等の記録媒体に記録されているタイトル（曲のデータファイル、静止画ファイル、動画ファイルを総称してタイトルという。ここでいうタイトルには、タイトル名称が付けられていないものも含む。以下、タイトルというときは、同じ。）を再生する再生装置があった。例えば、ＤＶＤプレーヤ、ＤＶＤレコーダ、ＣＤプレーヤ、ＭＰ３プレーヤなどがある。このような装置では、従来、ユーザが登録したタイトルを予め定めた所定の手順に沿って再生するプログラム再生機能や、全タイトル、登録されたタイトルをランダムな順番に再生する装置が実用化されている。
【０００３】
また、特許文献１には、複数の記録媒体を再生する構成を備え、複数記録媒体それぞれからランダムに選択して、選択した記録媒体から１つをランダムに選択することを繰り返す情報再生装置が開示されている。特許文献２には、タイトルが複数のアルバムにまとめられている場合に、アルバムをランダムに選択し、アルバム内を順番に再生する音響再生装置が開示されている。
【特許文献１】特開平１０−２１６３２号公報
【特許文献２】特開２００６−１９０４７１公報
【発明の開示】
【発明が解決しようとする課題】
【０００４】
しかしながら、従来のランダム再生機能は、どの順序で再生されるかまったく機械任せであり、ユーザが好まない曲が再生されたりして、融通の利かない問題があった。また、特許文献１に記載の再生装置も、この点では、ランダム再生と変わらず、同様な問題があった。一方、プログラム再生は、予め定めた順序で再生するが、その順序をユーザが指定しなければならず、面倒を伴う作業が必要であった。
【０００５】
さらに、特許文献２の音響再生装置は、アルバムをランダムに選択するが、アルバム内は予め決まった方法で再生する。したがって、アルバム再生中にユーザが飽きてしまう虞があった。例えば、アルバムには、同じアーティストの作品が並んでいることがあるが、すべて聴くと、十分すぎて飽きてしまう虞があった。また、アルバムの順序をランダムとすると、ユーザが意図しない順序で再生されることがある。したがって、ユーザが意図しない順序で、かつ、同じアルバムの曲を連続して再生するから、従来のランダム再生機能と同様、融通の利かない虞があった。
【０００６】
この発明の目的は、ユーザの手間を省きながら、ユーザの使い勝手のよい順序で再生できる再生装置を提供することである。
【課題を解決するための手段】
【０００７】
この発明の再生装置は、上記課題を解決するために、以下のように構成している。
【０００８】
（１）  記録媒体に記録されたタイトルを読み出して再生する再生部を備えた再生装置において、
タイトルの選択を受け付けることにより、タイトルの集合であるグループを登録するグループ登録手段と、
複数の前記グループをどの順番で再生するかを定める再生順序を受け付けると共に、前記グループそれぞれについて前記再生部が再生するタイトル数を受け付ける再生設定受付手段と、を備え、
前記再生部は、前記グループ登録手段で登録された所定のグループの中から、前記再生設定受付手段で受け付けたタイトル数のタイトルをランダムに選択して再生するグループ内ランダム再生を行うものであって、前記グループ内ランダム再生を前記グループ各々について前記再生順序受付手段で受け付けた再生順序で順番に行う、グループ順再生を行う。
【０００９】
この構成では、登録したグループについて、再生順序に従って再生するから、ユーザの定めた順序に従った再生ができる。また、各グループについては、ユーザが定めたタイトル数について、ランダムに再生される。したがって、この構成の再生装置は、ランダムな要素を取り入れて飽きのこない再生をしつつ、かつ、ユーザの意向に沿った順序で再生できる。また、再生設定受付手段では、グループの再生順序を定めるのであって、個々のタイトルの再生順序を定めるのではない。したがって、ユーザは、手間をかけることが少なく再生順序を定めることができる。
【００１０】
（２）  記録媒体に記録されたタイトルを読み出して再生する再生部を備えた再生装置において、
タイトルの選択を受け付けることによりタイトルの集合であるグループを登録するグループ登録手段と、
複数の前記グループをどの順番で再生するかを定める、再生順序を受け付ける再生設定受付手段と、を備え、
前記再生部は、前記グループ登録手段で登録された所定のグループの中からランダムに１タイトル選択して再生するグループ内ランダム再生を、前記グループ各々について前記再生順序受付手段で受け付けた再生順序で順番に行う、第１のグループ順再生を行う。
【００１１】
この構成では、ランダムに再生しつつも、ユーザが定めた再生順序にそって、グループから１曲ずつ選択して再生していく。したがって、ランダムといえども、同じグループのタイトルが連続することはなく（ただし、後述（３）の構成で、「スキップ」した場合を除く。）、まったく意図しないような再生を回避できる。また、再生設定受付手段では、グループの再生順序を定めるのであって、個々のタイトルの再生順序を定めるのではない。したがって、ユーザは、手間をかけることが少なく再生順序を定めることができる。
【００１２】
（３）  前記再生設定受付手段は、前記グループそれぞれについて、前記再生部が再生するタイトル数を受け付け、
前記再生部は、前記グループそれぞれについて受け付けた前記タイトル数に達するまで、前記第１のグループ順再生を繰り返す第２のグループ順再生を行うものであって、前記第２のグループ順再生では、所定のグループＸについて前記タイトル数に達した場合には、次の第１のグループ順再生では、当該グループＸについて前記グループ内ランダム再生をスキップし、すべてのグループについて前記回数に達するまで前記第１のグループ順再生を繰り返す。
【００１３】
この構成では、再生設定受付手段は、グループそれぞれについて、再生部が再生するタイトル数を受け付ける。したがって、各グループについてユーザが定めたタイトル数だけ、各グループについて再生を繰り返す。したがって、ユーザは各グループの再生頻度を設定できる。例えば、ユーザが所定のグループが好きな場合、このグループを重点的に聴きたいといったときに、そのグループの再生するタイトルの割合、重みを変えることができ、よりユーザの意向に沿った再生ができる。
【００１４】
（４）  前記グループ登録手段は、前記グループ内ランダム再生において選択されるタイトルを前記グループの中からさらに絞り込むグループ内絞込タイトルの選択を受け付けて、
前記再生部は、前記グループ内ランダム再生において、前記グループ登録手段で選択を受け付けたグループ内絞込タイトルの中から１タイトルをランダムに選択する。
【００１５】
この構成では、すでに登録したグループ内のタイトルといえども、今回聞きたくない曲を排除して絞り込むことができる。したがって、よりユーザの意向に沿った再生が可能となる。
【００１６】
また、以下の（５）〜（８）の方法を実行してもよい。
【００１７】
（５）  記録媒体に記録されたタイトルを読み出して再生する再生方法において、
タイトルの選択を受け付けることにより、タイトルの集合であるグループを登録するグループ登録ステップと、
複数の前記グループをどの順番で再生するかを定める、再生順序を受け付けると共に、前記グループそれぞれについて前記再生部が再生するタイトル数を受け付ける再生設定受付ステップと、
前記グループ登録手段で登録された所定のグループの中からランダムに前記再生設定受付手段で受け付けたタイトル数のタイトルを選択して再生するグループ内ランダム再生ステップと、を実行するものであって、
前記タイトルランダム再生ステップを、前記再生順序受付手段で受け付けた再生順序でグループ毎に順番に繰り返し実行するグループ順再生ステップを実行する。
【００１８】
（６）  記録媒体に記録されたタイトルを読み出して再生する再生方法において、
タイトルの選択を受け付けることによりタイトルの集合であるグループを登録するグループ登録ステップと、
複数の前記グループをどの順番で再生するかを定める再生順序を受け付ける再生設定受付ステップと、
前記グループ登録手段で登録された所定のグループの中からランダムに１タイトル選択して再生するグループ内ランダム再生ステップと、を実行するものであって、
前記グループ内ランダム再生ステップを、前記再生順序受付手段で受け付けた再生順序で各グループについて順番に繰り返し実行する、第１のグループ順再生ステップを実行する。
【００１９】
（７）  前記再生設定受付手段は、前記グループそれぞれについて、再生予定のタイトル数を受け付け、
前記グループそれぞれについて受け付けた前記タイトル数に達するまで、前記第１のグループ順再生ステップを繰り返し実行する第２のグループ順再生ステップを実行し、
前記第２のグループ順再生ステップでは、所定のグループＸについて前記タイトル数に達した場合には、次の第１のグループ順再生ステップでは、当該グループＸについて前記グループ内ランダム再生ステップをスキップし、すべてのグループについて前記回数に達するまで前記第１のグループ順再生を繰り返す。
【００２０】
（８）  前記グループ登録ステップでは、前記グループ内ランダム再生において選択されるタイトルを前記グループの中からさらに絞り込んだグループ内絞込タイトルの選択を受け付け、
前記グループ内ランダム再生ステップでは、前記グループ登録ステップで受け付けたグループ内絞込タイトルの中からランダムに１タイトルを選択する。
【発明の効果】
【００２１】
この発明によれば、ユーザの計画に沿った順序で、ランダム性を取り入れた順序で再生できる。また、本発明による順序での再生には、プログラム再生のように曲の順番を一々順序を指示するという必要がない。したがって、ユーザの手間を省きながら、したがって、ユーザ使い勝手のよい順序で再生できる。
【発明を実施するための最良の形態】
【００２２】
以下、この発明の実施形態である再生装置について説明する。
【００２３】
図１は、この発明の実施形態である再生装置の主要部の構成を示すブロック図である。再生装置１は、読取部３、デコード部４、ＯＳＤ合成部５、出力部６、操作部７、制御部９を備えている。再生装置１は、記録媒体１０に記録されているタイトルを再生する装置である。例えば、再生装置１は、ＣＤプレーヤ、ＭＰ３プレーヤ等の固体メモリプレーヤ、ＤＶＤプレーヤ、ＤＶＤレコーダ、ハードディスクレコーダとすることができる。ここで、タイトルとは、音声ファイル、映像ファイル、静止画ファイルを総称するものであるが、必ずしも、特定の名称が付けられているものに限らない。以下では、タイトルとして、音楽ファイルを例にとり説明するが、音楽ファイル以外にも適用できる。
【００２４】
記録媒体１０は、本体に内蔵されているハードディスクであってもよいし、本体に対して着脱自在のＤＶＤ、ＢＤ等（ＤＶＤ−ＲＯＭ等再生専用のものを含む。）の光ディスクや、フラッシュメモリであってもよい。また、これら以外でも、複数のタイトルが記録されて、再生できればよく、必ずしも、記録できることを要しない。
【００２５】
読取部３は、記録媒体１０に記録されているデータを読み取り、その読取信号をデコード部４に出力する。例えば、記録媒体１０がハードディスクであれば、読取部３は、ハードディスクドライブである。また、記録媒体１０がメモリーカードであれば、読取部３は、メモリーカードリーダである。記録媒体１０がＤＶＤ等の光ディスクであれば、読取部３は、光ディスクドライブである。光ディスクドライブは、ＤＶＤ１０にレーザ光を照射し、その反射光を検出するピックアップヘッド（不図示）や、ＤＶＤ１０に照射しているレーザ光の照射位置を制御するフォーカスサーボ制御やトラッキングサーボ制御等を行うサーボ制御部（不図示）等を有している。これらの構成により、光ディスクドライブは、光ディスクを読み出す。
【００２６】
記録媒体１０に記録されているタイトルのデータは、例えば公知のＭＰＥＧ２、ＭＰＥＧ３、ＷＡＶファイルでエンコードされている。
【００２７】
デコード部４は、読取部３が出力した読取信号から、音声データと、映像データに分離して抽出する。デコーダ４は、これらのデータをデコードして出力する。デコード部４は映像データをＯＳＤ合成部５に出力する。また、デコード部４は、音声データを出力部６に出力する。
【００２８】
ＯＳＤ合成部５は、制御部９からコマンドを受けて、文字、キャラクタ等のＯＳＤ（On-Screen Display）を合成して出力部６に出力する。デコーダから映像信号が出力されている場合には、この映像信号とＯＳＤ（On-Screen Display）を合成し、出力部６に出力する。また、この映像信号の出力を禁止して、ＯＳＤのみを出力してもよい。
【００２９】
出力部６は、映像信号と音声信号とを同期させて出力する。出力部６の出力としては、ＲＣＡピンケーブルを介してＡ／Ｄ変換をしてもよいし、ＨＤＭＩ端子等を介してデジタルで送信してもよい。
【００３０】
操作部７は、再生装置１の本体に設けられた操作子７１（選択キー７２、決定キー７３を含む。）や、リモコン７５（選択キー７６、決定キー７７を含む。）から送信されてきた制御コードを受信するリモコン受光部７４を有している。操作部７は、ユーザが操作した操作子７１の入力操作や、リモコン受信部で受信した制御コードを制御部９に出力する。制御部９は、操作部７からの出力により、本体に対するユーザの入力操作を判断する。
【００３１】
制御部９は、マイコンで構成し、ＣＰＵ、ＲＡＭ、制御データ格納用のＲＯＭを備える。制御部９は、操作部８で受け付けた入力に基づいて、以上で示した装置のうち２〜８の各部の動作を制御する。また、制御部９のＲＯＭは、プログラム再生処理９１、ランダム再生処理９２グループ登録処理９３、グループ毎再生処理９４、グループ順再生処理９５を実行するためのサブルーチンを記憶している。
【００３２】
プログラム再生処理９１は、記録媒体１０に記録された全タイトル、または、予め選択されたタイトルの中からユーザが登録したタイトルの順序で再生する処理である。ランダム再生処理９２は、記録媒体１０に記録された全タイトル、または、予め選択されたタイトルの中から、制御部９が定めたランダムな順番で再生する処理である。グループ登録処理９３は、タイトルの選択を受け付けることにより、タイトルの集合であるグループを登録する処理である。
【００３３】
グループ毎再生処理９４は、指定したグループ順に再生するが、グループ内については、ランダム再生処理９２を実行する処理である。例えば、グループＡ内で、数曲ランダムに再生し、その後、グループＢ内の曲をランダムに再生していく。グループＡ、グループＢの再生順序はユーザが指定する。
【００３４】
グループ順再生処理９５は、１曲ごとにグループを変えて再生する処理である。グループ順再生処理９５では、各グループの再生順序はユーザから指定を受け付け、各グループ内の曲は、制御部９がランダムに選択し、再生する。
【００３５】
フラッシュメモリ９９は、電源をオフにしても持続できる不揮発性メモリであり、各種の制御情報を記憶する。例えば、処理９４、処理９５で使用するグループの情報、グループ内でユーザが選択マークを付けたタイトル（図３の８６参照）を記憶する。また、処理９５を実行中に、制御部９が今後再生を指示することが必要なグループのリストを記憶している。
【００３６】
図２を用いて、グループ登録処理９３について説明する。制御部９は、この処理９３の実行を操作部７の所定のキー操作より受け付ける。このキー操作を受けて、制御部９は、コマンドをＯＳＤ合成部５に出力することにより、全ファイルの一覧であるメイングループ８１を表示する。これを表示した状態で、メイングループ８１から、操作部７の選択キー７２または、選択キー７６により、ユーザから曲の選択を受け付ける。このとき、これらのキー７２、７６から選択を受け付けると、選択マーク８１１が表示される。この状態で、操作部７の決定キー７３または決定キー７７が押されると、グループが登録される。これにより、グループＡ８２が登録できる。また、グループＡ８２のみならず、グループＢ８３その他も、この処理９３を繰り返すことにより生成できる。
【００３７】
次に、図３を用いて、グループ毎再生処理９４、グループ順再生処理９５における再生順序について説明する。処理９４、９５は、操作部７の所定のキー操作（グループ登録処理９３とは異なる。）を受けて、制御部９により実行される。このとき、制御部９は、ＯＳＤ合成部５にコマンドを発行して、図３のような画面を出力させる。この画面の枠は、予めＯＳＤ合成部５内のメモリに記憶されており、ユーザの選択によりグループが増えるごとに、ＯＳＤ合成部５は、グループＢ８３、グループＣ８４、グループＤ８５と欄を増やして、表示器１０２に表示する。
【００３８】
グループＡ，Ｂ・・・の数はユーザの選択により異なるが、ここでは、グループ登録処理９３で４つのグループが選択された場合を例にとり説明する。グループ毎再生処理９４を実行するには、ユーザから、読取部３は、処理９４、９５の選択８７で、グループ毎再生処理９４の選択を受け付ける。この選択は、操作部７の選択キー７２、または選択キー７６により行うことができる。また、ユーザは、各グループから再生したい曲を選択すると共に、タイトル数８８の選択を行う。この選択は、操作部７の選択キー７２、または選択キー７６により項目を選択し、この項目をハイライト表示している状態で、決定キー７３、または決定キー７７が押されると、選択マーク８６が点灯して、選択されたことを表示する。
【００３９】
さらに、制御部９は、操作部７から、各グループＡ〜Ｄについて、タイトル数８８、再生順序８９の設定を受け付ける。タイトル数８８（この例では、曲数）は、各グループについて、選択マーク８６を付けた曲のうち、何曲再生されるかを指示するものである。再生順序８９は、グループＡ〜Ｄの再生順を指示するものである。
【００４０】
なお、選択マーク８６で選択を受け付けることは、本発明の「グループ内絞込タイトルの選択を受け付け」ることに相当する。タイトル数８８は、本発明の「タイトル数」に相当する。再生順序８９は、本発明の再生順序に相当する。
【００４１】
処理９４、処理９５は、いずれの処理でも、ユーザが定めたグループの再生順序８９に従って、再生される。再生順序８９での選択項目は、曲の再生順序を一々定めるようユーザに要求するものではないので、ユーザの負担を軽減できる。また、後述のとおり、再生装置１は、グループ内の曲の選択に、ランダムの要素を取り入れて再生するので、ユーザの計画に従いつつ、意外性を持った再生をすることができる。
【００４２】
その後、所定の決定ボタン８０を選択し、決定キー７７が押されると、処理９４、９５を選択するチェックマークである選択８７に従い、制御部９は、処理９４、９５のいずれかを開始する。
【００４３】
図４のフロー図を用いて、グループ毎再生処理９４、グループ順再生処理９５の再生順序の概略について説明する。このフロー図は、これらの処理９４、９５の再生順序の概略を示している。また、図４は、図３で設定されたタイトル数８８、再生順序８９を前提にしている。
【００４４】
グループ毎再生処理９４では、グループ毎に１曲以上ずつ再生する。
図４（Ａ）に示すように、ＳＴ１で、制御部９は、グループＡの曲の情報を取得する。ＳＴ２で、タイトル数８８に従い、選択マーク８６でチェックされた曲の中から３曲ランダムに選択し、この３曲を連続して再生する。
【００４５】
その後、ＳＴ２で、別のグループＢに移動して同様の再生を行う。図３の例では、再生順序８９に従い、グループＡ→グループＢ→グループＤ→グループＣの順に再生される。したがって、グループＡを再生した後は、ＳＴ３でフラッシュメモリに記憶したグループＢの情報を取得し、ＳＴ４で、グループＢについて、選択マーク８６で選択された曲の中から、２曲続けて再生される。
【００４６】
ＳＴ５で、グループＤの情報を取得し、ＳＴ６で、タイトル数８８の情報に従い、グループＣの中から３曲をランダムに選択して再生する。
【００４７】
最後に、ＳＴ７でグループＣの情報を取得し、ＳＴ８で、グループＣの中から１曲をランダムに選択してこれを再生する。
【００４８】
なお、ＳＴ１２、ＳＴ１４，ＳＴ１６、ＳＴ１８は、本発明請求項２の「グループ内ランダム再生ステップ」に対応する。
【００４９】
グループ順再生処理９５では、グループ順に１曲ずつ再生する。図３に示す再生順序８９に従い、グループＡ→グループＢ→グループＤ→グループＣの順に１曲ずつ再生する。具体的には、図４（Ｂ）に示すように、再生する。
ＳＴ１１で、グループＡの情報を取得し、ＳＴ１２で、グループＡの中から１曲ランダムに選択して再生する。
ＳＴ１３で、グループＢの情報を取得し、ＳＴ１４で、グループＢの中から１曲ランダムに選択して再生する。
ＳＴ１５で、グループＤの情報を取得し、ＳＴ１６で、グループＤの中から１曲ランダムに選択して再生する。
ＳＴ１７で、グループＡの情報を取得し、ＳＴ１８で、グループＣの中から１曲ランダムに選択して再生する。ＳＴ１９で、全曲終了した場合には（ＳＴ１９のＹＥＳ）、グループ順再生処理９５は終了する。全曲終了していない場合には（ＳＴ１９のＮＯ）、ＳＴ１に戻って、処理を繰り返す。
【００５０】
なお、ＳＴ１２、ＳＴ１４，ＳＴ６、ＳＴ８は、本発明請求項２の「グループ内ランダム再生ステップ」に対応する。
【００５１】
ただし、図４（Ｂ）では、一部フローを省略している。すなわち、処理９５では、タイトル数８８を超えると、制御部９は、次の順からはそのグループの再生をスキップし、再生しない。以下、より詳しく説明する。フラッシュメモリ９９に現在の再生すべきタイトル数である、残り再生件数を記憶している。この残りのタイトル数は、タイトル数８８の設定を初期値とする。グループがＡ〜Ｄに一巡するごとに、制御部９は、この残りのタイトル数を、１曲ずつ消去していく。タイトル数８８の曲数が０になると、次にグループを一巡するときには、そのグループの再生をスキップする。例えば、グループＣは、１回しか再生されないから、グループをＡ、Ｂ、Ｄ、Ｃと一巡すると、次からは再生しない。また、３巡目には、グループＢも再生しないことになる。４順目にグループＡ，Ｄの順に再生して、グループ順再生処理９５の処理を終了する。その後は、再度グループ順再生処理９５の処理を繰り返してもよい。
【００５２】
それぞれのグループでどの曲が選択されるかは、制御部９が、選択マーク８６の中からランダムに決定する。再生装置１はこのように再生するので、たとえランダムといえども、グループＡ，Ｂから連続して３曲続けることはなく、偏った再生がされない（ただし、上記スキップを行った場合を除く。）。したがって、ユーザの意向に従いつつ、ユーザにとって飽きにくい再生をすることができる。
【００５３】
次に、図５〜図７のフロー図を用いて、グループ毎再生処理９４、グループ順再生処理９５を実行する処理方法の例について説明する。
【００５４】
図５は、特殊再生処理を表わしている。この処理は、処理９１〜９５を操作部７の処理により、選択的に実行する処理である。ＳＴ２１で、プログラム再生処理９１が操作部７から指示されたか否か判断する。この判断が肯定の場合には（ＳＴ２１のＹＥＳ）、ＳＴ２２で、プログラム再生処理９１を実行する。
【００５５】
ＳＴ２１の判断が否定の場合には（ＳＴ２１のＮＯ）、制御部９は、ＳＴ２３で、プログラム再生処理９１が指示されているか否か判断する。ＳＴ２３の判断が肯定の場合には（ＳＴ２３のＹＥＳ）、制御部９は、ＳＴ２４で、ランダム再生処理９２を実行する。この判断が否定の場合には（ＳＴ２３のＮＯ）、ＳＴ２５で、グループ毎再生処理９４の実行が指示されたか否か判断する。ＳＴ２５の判断が肯定ならば（ＳＴ２３のＹＥＳ）、ＳＴ２６で、制御部９は、グループ毎再生処理９４を実行する。ＳＴ２５の判断が否定なら（ＳＴ２５のＮＯ）、制御部９は、ＳＴ２７で、グループ順再生処理９５を実行する。処理９１〜９５のいずれかの後、図３の特殊再生処理は終了する。
【００５６】
なお、図５の例は１例であり、処理９１〜９５が選択できるようにすればよく、例えば、操作部７で、選択キー７２または選択キー７６、具体的には、カーソルキーなどで選択を受け付けて、決定キー７３または決定キー７７でその決定を受け付けてもよい。
【００５７】
図６のフロー図は、グループ毎再生処理９４を表わしている。
【００５８】
ＳＴ３１で、グループの情報を取得する。例えば、制御部９は、タイトル数８８を取得する。
ＳＴ３２で、ユーザが選択マーク８６を付けている曲を更新する。曲の再生中に、ユーザから、希望曲の追加、変更、削除を、図３に示す画面上で、選択マーク８６により受け付けている。ＳＴ３２で、選択マーク８６の更新を反映させる。具体的には、制御部９に接続するフラッシュメモリ９９に記憶した希望曲リスト（すなわち、選択マーク８６を付けた曲のリスト）を更新する。
【００５９】
なお、必ずしも、ＳＴ３２の処理を行わなくてもよいし、曲の再生中に、ユーザから、希望曲の追加、変更、削除を受け付けなくてもよい。しかし、曲の再生中に、ユーザから、希望曲の追加、変更、削除を受け付ければ、柔軟にユーザの意向に対応できる。ＳＴ３３では、選択マーク８６が付けられた曲からランダムに１曲再生する。後述のＳ３２１も同様である。
【００６０】
ＳＴ３４でグループ内の残り再生件数を取得する。ＳＴ３５で、グループ内の残り曲数をデクリメントする（すなわち、１つ減らす）。
【００６１】
ＳＴ３６で、グループ内の残り再生件数がまだ残っているか否か判断する。ＳＴ３６の判断が肯定の場合には（ＳＴ３６のＹＥＳ）、ＳＴ３２に戻って、ＳＴ３２〜ＳＴ３６を繰り返す。ＳＴ３６の判断が否定の場合には（ＳＴ３６のＮＯ）、ＳＴ３７に移動する。
ＳＴ３７では、最終グループの再生が終了したか否か判断する。ＳＴ３７の判断が肯定の場合には（ＳＴ３１のＹＥＳ）、処理９４を終了する。ＳＴ３７の判断が否定の場合には、ＳＴ３１に戻る。ＳＴ３１では、次のグループに移動し、このグループの情報を取得して、以上の処理を繰り返す。ここで、新たにグループの情報を取得するときは、図３に示すような、ユーザが設定した再生順序８９を参照する。
【００６２】
次に図７のフロー図を用いて、グループ順再生処理９５の処理について説明する。ここで、ＳＴ３１１〜ＳＴ３６１は、ＳＴ３１〜ＳＴ３６に対応している。
【００６３】
ＳＴ３1１で、グループの情報を取得する。例えば、制御部９は、タイトル数８８を取得する。
ＳＴ３２１で、ユーザが選択マーク８６を付けている曲を更新する。曲の再生中に、ユーザから、希望曲の追加、変更、削除を、図３に示す画面上で、選択マーク８６により受け付けている。ＳＴ３２で、選択マーク８６の更新を反映させる。具体的には、制御部９に接続するフラッシュメモリ９９に記憶した希望曲リスト（すなわち、選択マーク８６を付けた曲のリスト）を更新する。
【００６４】
ＳＴ３４１でグループ内の残り再生件数を取得する。ＳＴ３５１で、グループ内の残り再生件数をデクリメントする（すなわち、１つ減らす）。
【００６５】
ＳＴ３６１で、グループ内の残り再生件数がまだ残っているか否か判断する。ＳＴ３６１の判断が否定の場合には（ＳＴ３６１のＮＯ）、ＳＴ４２に移動する。この判断が肯定の場合には（ＳＴ３６１のＹＥＳ）、ＳＴ４１に移動する。
【００６６】
ここで、フラッシュメモリ９９は、グループ順再生処理９５の前に、予め再生すべきグループのリストを記憶している。ＳＴ４１では、このグループのリストから、残り再生件数が０になったグループを削除する。これにより、このグループの再生については、次回からはスキップする。また、フラッシュメモリ９９に記憶するグループのリストには、再生順序も記憶している。これにより、ＳＴ４２では、最終グループの再生が終了したか否か判断する。この判断が否定の場合には（ＳＴ４２のＮＯ）、グループのリストに記述された次のグループに移動する。最終グループの再生が終了した場合には（ＳＴ４２のＹＥＳ）、ＳＴ４４に移動する。
【００６７】
ＳＴ４４では、グループのリストの残りがあるか否か判断する。残りがある場合には（ＳＴ４４のＹＥＳ）、ＳＴ４５で、グループのリストの最初へ移動する。図３の例であれば、再生順序８９の最初のグループＡに戻って、Ａ→Ｂ→Ｄ→Ｃの順に１曲ずつ選択して再生する。そのために、ＳＴ３１１では、最初のグループＡの情報を取得する。また、グループリストの残りがない場合には（ＳＴ４４のＮＯ）、制御部９は、この処理９５を終了する。
【００６８】
以上の実施例について補足する。
【００６９】
以上の図１の説明では、機能ごとに分離したブロックで説明したが、実装上は、これらの機能のうち、いずれかが複数の機能が一体となった構成、例えば、システムＩＣで構成してもよいし、一つのブロックを複数に分離して構成してもよい。また、図１に示すブロック内の一部の機能が、別のブロックの一部の機能と一体になっていてもよい。
【００７０】
また、以上の例では、グループ登録処理９３で、グループに登録するタイトルを、タイトル全体であるメイングループ８１から選択したが、ユーザが選択したグループ内、または所定の概念のグループ（例えば、ジャンル、再生リスト、アーティスト、カテゴリー、アルバムなど、タイトル集合であれば何でもよい。）から選択を受け付けてもよい。
【００７１】
また、図３以降の説明では、再生順をＡ→Ｂ→Ｄ→Ｃとして説明したが、この順に限らない。例えば、Ｄ→Ｃ→Ａ→Ｂでも何でもよく、ユーザから受け付けた順序で再生すればよい。また、タイトル数８８では、グループＡから３曲、グループＢから２曲・・として説明したが、この曲数も３曲、２曲に限らず、５曲など何でもよい。
【００７２】
また、グループ順再生処理９５の応用として、タイトル数８８の選択を受けずに、再生順序８９に沿ってグループから１曲ずつ再生し、そのまま終了するような再生方法も可能である。この場合には、（Ａ）グループ全体の中の選択マーク８６を付いたタイトルの集合から１曲選択する。そして、（Ｂ）再生順序８９に沿って次のグループに移動し、グループ全体の中の選択マーク８６を付いたタイトルの集合から１曲選択する。この再生を全グループについて実行する。また、この段落で説明した再生手順を１順として、何巡もこれを繰り返してもよい。
【００７３】
また、以上では、（Ａ）、（Ｂ）で選択マーク８６を付いたタイトルの集合から１曲選択した。しかし、前段落で説明したグループ順再生処理９５の応用として、グループ全体から選択してもよい。この再生手順を１順として、何巡もこれを繰り返してもよい。
【００７４】
なお、前段落で説明した再生方法を実行する装置は、請求項２に対応し、この再生方法は請求項６に対応する。
【００７５】
また、以上の説明では、グループ毎再生処理９４、グループ順再生処理９５では、選択マーク８６の付いた曲から選択したが、再生装置１は、グループ全体から選択するようにしてもよい。例えば、再生装置１は、グループＡ内の選択マーク８６が付いている曲でなく、グループＡ全体から選択してもよい。
【００７６】
また、  図２、図３の説明では、決定キー７３等を使用したが、選択キー７２を十字キーとして、縦方向のアップダウンキーを選択移動キー、横方向を決定キーの代わりに用いてもよい。
【００７７】
また、図２、図３では、多数の行数を表示できる表示器１０１に表示することを前提として説明した。しかし、図２、図３では、設定や、選択さえできればよい。例えば携帯電話機やＭＰプレーヤの十字キーなどでスクロールするようにすれば、表示器としては、１行表示するだけでグループ選択をすることが可能である。選択マーク８６も同様である。図３で示した選択８７、タイトル数８８、再生順序８９、決定ボタン８７２については、選択８７、タイトル数８８、再生順序８９を一行ずつ表示して選択するようにすることができる。また、これらを選択した時点で、所定の決定ボタンの入力を受け付けるようにすれば、決定ボタン８７２の入力機能を果たすことができる。以上より、仮に１行しか表示できない表示器を有する再生装置１についても、本実施形態の再生装置１を適用できる。
【００７８】
また、図２で示したグループ選択の別の方法を挙げると、ＭＰ３プレーヤなどの音楽プレーヤでは、ハードディスクから音楽データを転送することが行われており、この場合にパソコンのディスプレイからグループを選択するようにしてもよい。
【００７９】
また、以上では、音楽ファイルをタイトルとして説明したが、前述のとおり、静止画ファイル、動画ファイルにも適用できる。静止画ファイルの場合には、以上の説明の「再生」を、例えば、「一定時間おきに静止画を切り替えて表示する」ような適用をすることができる。
【００８０】
また、操作部７としては、リモコン受光部７４およびリモコン７５、あるいは、操作子７１のいずれか１以上を備えていればよく、いずれをも備える必要はない。さらには、操作を受け付けることができればよく、その方法は問わない。操作子７１、リモコン７５については、接触式、ボタン式、その他検出できるものであればなんでもよい。
【００８１】
フラッシュメモリ９９については、制御部９のマイコンに付属のものでもよく、制御部９の外部に接続されているものでもよい。フラッシュメモリ９９は、直接制御部９に接続されていなくても、間接的に制御部９がアクセスできればよい。
【００８２】
また、グループ毎再生処理９４、グループ順再生処理９５は、以上の説明から理解されるとおり、独立に実施できる。また、デコーダ４は、専門の処理プロセッサでなくても、パソコン上で動作するソフトウェアによりデコードしてもよい。ＯＳＤの合成もソフトウェア上で行ってもよい。また、制御部９をパソコン、ゲーム機のＣＰＵとしてもよい。操作部９をパソコンへの入力機器（キーボード、マウス、タッチパネル、ゲームパッドなど）としてもよい。
【図面の簡単な説明】
【００８３】
【図１】この発明の実施形態である再生装置の主要部の構成を示すブロック図である。
【図２】この発明の実施形態である再生装置のグループ登録処理を表わす図である。
【図３】この発明の実施形態である再生装置のグループ毎再生処理、グループ順再生処理を指示ずる画面を表わす図である。
【図４】この発明の実施形態である再生装置のグループ毎再生処理、グループ順再生処理の再生順序の概略のフローを表わす図である。
【図５】この発明の実施形態である再生装置の特殊再生処理のフローを表わす図である。
【図６】この発明の実施形態である再生装置のグループ毎再生処理を表わす図である。
【図７】この発明の実施形態である再生装置のグループ順再生処理を表わす図である。
【符号の説明】
【００８４】
１−再生装置、  ３−読取部、  ４−デコーダ、
５−ＯＳＤ合成部、  ６−出力部、
７−操作部、  ７１−操作子、  ７２−選択キー、  ７３−決定キー、
７４−リモコン受光部、  ７５−リモコン、
７６−選択キー、  ７７−決定キー、
８１−メイングループ、  ８２−グループＡ、  ８３−グループＢ、
８４−グループＣ、  ８５−グループＤ、  ８６−選択マーク、
８７−選択、  ８８−曲数、  ８９−再生順序、  ９−制御部、  ９０−ＲＯＭ、
９１−プログラム再生処理、  ９２−ランダム再生処理、
９３−グループ登録処理、  ９４−グループ毎再生処理、
９５−グループ順再生処理、９９−フラッシュメモリ、
１０−記録媒体、  １０１−スピーカ、  １０２−表示器
【図１】
2009026345.tif 000003
【図２】
2009026345.tif 000004
【図３】
2009026345.tif 000005
【図４】
2009026345.tif 000006
【図５】
2009026345.tif 000007
【図６】
2009026345.tif 000008
【図７】
2009026345.tif 000009